(57)【特許請求の範囲】
【請求項１】
断熱壁内に少なくとも一面が開口する陳列室を構成し、該陳列室内にて商品を冷却しながら陳列するオープンショーケースにおいて、
前記陳列室の対向する開口縁にそれぞれ設けられた一つの冷気吐出口及び一つの冷気吸込口と、
前記陳列室の開口を塞ぐかたちで設けられた陳列室カバーを備え、
該陳列室カバーは、前記陳列室内を透視可能な可撓性シートにて構成されていると共に、複数の商品取出用の切れ目が形成されており、各切れ目の延在方向における両端は連続し、切れ目の無い連続部とされており、
前記冷気吐出口より冷気を吐出し、前記冷気吸込口より吸い込むことにより、前記陳列室の開口に冷気エアーカーテンを形成すると共に、前記陳列室カバーの上端を、前記冷気吐出口を前記陳列室内側を略８割、前記陳列室外側を略２割とする位置に配置し、前記陳列室カバーの下端を前記冷気吸込口の上方に配置したことを特徴とするオープンショーケース。
【請求項２】
前記陳列室は前面が開口しており、前記陳列室カバーは、前記切れ目が前記陳列室の前面開口において上下方向に延在するかたちで設けられていることを特徴とする請求項１に記載のオープンショーケース。
【請求項３】
前記陳列室は前面が開口しており、前記陳列室カバーは、前記切れ目が前記陳列室の開口において左右方向に延在するかたちで設けられことを特徴とする請求項１に記載のオープンショーケース。
【請求項４】
前記陳列室カバーには、複数の空気連通用孔が形成されていることを特徴とする請求項１乃至請求項３のうちのいずれかに記載のオープンショーケース。
【請求項５】
前記冷気吐出口に取り付けられた冷気整流用のハニカム材と、該ハニカム材を前記冷気吐出口に取り付けるためのハニカム取付部材とを備え、
前記陳列室カバーの上端を前記ハニカム取付部材に着脱自在に取り付け、前記ハニカム材の下側に配置したことを特徴とする請求項１乃至請求項４のうちの何れかに記載のオープンショーケース。
【請求項６】
前記陳列室は前面が開口しており、前記陳列室カバーの上端が前記陳列室の開口上縁に略全幅に渡って固定されていると共に、前記陳列室カバーの下端は、その一部が前記陳列室の開口下縁に固定されていることを特徴とする請求項１乃至請求項５のうちの何れかに記載のオープンショーケース。
【請求項７】
前記陳列室カバーは、前記両端の連続部が略全幅に渡って前記陳列室の開口縁に固定されていることを特徴とする請求項１乃至請求項５のうちの何れかに記載のオープンショーケース。
【請求項８】
前記陳列室カバーは、前記陳列室の開口縁に着脱自在に固定されていることを特徴とする請求項１乃至請求項７のうちの何れかに記載のオープンショーケース。
【請求項９】
前記陳列室は前面が開口しており、前記陳列室カバーの上端が前記陳列室の開口上縁に固定され、前記陳列室カバーの下端は、前記陳列室の開口下縁に着脱自在に固定されると共に、
前記断熱壁又は前記陳列室カバーには、当該陳列室カバーの下端を上方に捲り上げた状態で当該下端を着脱自在に保持する保持部を設けたことを特徴とする請求項１乃至請求項８のうちの何れかに記載のオープンショーケース。
【請求項１０】
前記陳列室の開口に前記陳列室カバーを複数並設したことを特徴とする請求項１乃至請求項９のうちの何れかに記載のオープンショーケース。
【発明の詳細な説明】
【技術分野】
【０００１】
本発明は、断熱壁内に少なくとも一面が開口する陳列室内にて商品を冷却しながら陳列するオープンショーケースに関するものである。
【背景技術】
【０００２】
従来より、前面に開口する陳列室内を冷却して成るオープンショーケースは、断面略コ字状の断熱壁と、この断熱壁の両側に取り付けられた側板により本体が構成され、この断熱壁の前面開口上縁に形成された冷気吐出口より、冷気を吐出し、開口下縁に形成された冷気吸込口より冷気を吸い込むことにより、前面開口に冷気エアーカーテンを形成しつつ、陳列室内を所定温度に冷却している。
【０００３】
しかし、前面が開口したこのようなオープンショーケースの冷気エアーカーテンは、人の往来や、店舗内の空調機器による風の影響を受けて乱されることが多い。この外乱の発生により陳列室内の冷気が外部に漏洩しやすくなり、冷却効率が低下し、商品を所定の温度に冷却することができなくなる、若しくは、エネルギー消費量の増大を招来し、省エネに寄与できなくなる問題がある。
【０００４】
そこで、係る冷気エアーカーテンの外乱の保護及び冷気漏洩抑制を図るべく、従来では、当該陳列室の前面開口に軟質合成樹脂にて構成される透明の暖簾や、開口上縁から引き出し自在に取り付けられるロールカーテン状のナイトカバーなどが取り付けられている。これによって、陳列室内への外気の流入を防止し、陳列室内の温度が上昇する不都合を抑制している（例えば、特許文献１及び特許文献２参照）。
【先行技術文献】
【特許文献】
【０００５】
【特許文献１】実開昭５４−１２８９６３号公報
【特許文献２】特開２００２−２５７４５１号公報
【発明の概要】
【発明が解決しようとする課題】
【０００６】
しかしながら、ナイトカバーにて前面開口を閉塞した場合、陳列室内の冷気漏洩を著しく抑制することができるが、開口全体がナイトカバーによって塞がれているため、陳列室内に陳列されている商品を手に取ることができず、営業時間帯では、当該ナイトカバーは開放された状態とされる。そのため、営業時間帯における陳列室内への冷気漏洩を抑制することができない。
【０００７】
上述した如き構成の透明の暖簾は、上端は連結した状態で陳列室の前面開口に取り付けられているものの、下端はそれぞれ切り離された状態であるため、それぞれが鉛直方向に垂れ下がった状態となる。そのため、冷気吐出口よりも冷気吸込口が前側に位置して構成されているショーケースでは、暖簾の下端が冷気吸込口よりも陳列室側に位置することとなり、前面開口に形成される冷気エアーカーテンが著しく乱されてしまう。この場合、冷気吸込口には外気が多く吸い込まれ、冷却効率が著しく低下してしまうこととなる。
【０００８】
また、冷気吐出口の略真下に冷気吸込口が形成されている場合であっても、係る暖簾は、下端が切り離されているため、それぞれの短冊は、ばらばらの方向を向いてしまった状態で、冷気吐出口から吐出される冷気流になびくため、冷気吸込口付近の冷気の流れが乱されてしまう問題がある。
【０００９】
更に、上述した如きナイトカバーや暖簾の構成は、何れも冷気吐出口よりも外部側に設けられているものであるため、陳列室側と外部側との温度差によってこれらカバーの前面に結露が生じてしまう。上述した如き暖簾は、各短冊の隙間から商品を取出可能とされているが、陳列室内に陳列されている商品を取り出す際に、暖簾に触れた部分が濡れてしまい、衛生上の問題も生じていた。
【００１０】
本発明は、従来の技術的課題を解決するためになされたものであり、内部に収容された商品の陳列販売を可能としつつ、冷気漏洩及び外気侵入を著しく抑制することを可能とするオープンショーケースを提供することを目的とする。
【課題を解決するための手段】
【００１１】
上記課題を解決するために、本発明のオープンショーケースは、断熱壁内に少なくとも一面が開口する陳列室を構成し、該陳列室内にて商品を冷却しながら陳列するものであって、陳列室の対向する開口縁にそれぞれ設けられた一つの冷気吐出口及び一つの冷気吸込口と、陳列室の開口を塞ぐかたちで設けられた陳列室カバーを備え、該陳列室カバーは、陳列室内を透視可能な可撓性シートにて構成されていると共に、複数の商品取出用の切れ目が形成されており、各切れ目の延在方向における両端は連続し、切れ目の無い連続部とされており、冷気吐出口より冷気を吐出し、冷気吸込口より吸い込むことにより、陳列室の開口に冷気エアーカーテンを形成すると共に、陳列室カバーの上端を、冷気吐出口を陳列室内側を略８割、陳列室外側を略２割とする位置に配置し、陳列室カバーの下端を冷気吸込口の上方に配置したことを特徴とする。
【００１２】
請求項２の発明は、上記発明において、陳列室は前面が開口しており、陳列室カバーは、切れ目が陳列室の前面開口において上下方向に延在するかたちで設けられていることを特徴とする。
【００１３】
請求項３の発明は、上記請求項１の発明において、陳列室は前面が開口しており、陳列室カバーは、切れ目が陳列室の開口において左右方向に延在するかたちで設けられことを特徴とする。
【００１４】
請求項４の発明は、上記各発明において、陳列室カバーには、複数の空気連通用孔が形成されていることを特徴とする。
【００１５】
請求項５の発明は、上記発明において、冷気吐出口に取り付けられた冷気整流用のハニカム材と、該ハニカム材を冷気吐出口に取り付けるためのハニカム取付部材とを備え、陳列室カバーの上端をハニカム取付部材に着脱自在に取り付け、ハニカム材の下側に配置したことを特徴とする。
【００１６】
請求項６の発明は、上記各発明において、陳列室は前面が開口しており、陳列室カバーの上端が陳列室の開口上縁に略全幅に渡って固定されていると共に、陳列室カバーの下端は、その一部が陳列室の開口下縁に固定されていることを特徴とする。
【００１７】
請求項７の発明は、上記請求項１乃至請求項５の各発明において、陳列室カバーは、両端の連続部が略全幅に渡って陳列室の開口縁に固定されていることを特徴とする。
【００１８】
請求項８の発明は、上記各発明において、陳列室カバーは、陳列室の開口縁に着脱自在に固定されていることを特徴とする。
【００１９】
請求項９の発明は、上記各発明において、陳列室は前面が開口しており、陳列室カバーの上端が陳列室の開口上縁に固定され、陳列室カバーの下端は、陳列室の開口下縁に着脱自在に固定されると共に、断熱壁又は陳列室カバーには、当該陳列室カバーの下端を上方に捲り上げた状態で当該下端を着脱自在に保持する保持部を設けたことを特徴とする。
【００２０】
請求項１０の発明は、上記各発明において、陳列室の開口に陳列室カバーを複数並設したことを特徴とする。
【発明の効果】
【００２１】
本発明によれば、断熱壁内に少なくとも一面が開口する陳列室を構成し、該陳列室内にて商品を冷却しながら陳列するオープンショーケースにおいて、陳列室の開口を塞ぐかたちで設けられた陳列室カバーを備え、該陳列室カバーは、陳列室内を透視可能な可撓性シートにて構成されていると共に、複数の商品取出用の切れ目が形成されていることにより、常には切れ目が閉じ、陳列室カバーにて開口を塞いだ状態とすることができると共に、切れ目から手を挿入することで、陳列室内に陳列された商品を容易に取り出すことができる。これにより、陳列室内を透視可能な陳列室カバーを介した商品陳列及び冷気漏洩の著しい抑制を実現しつつ、商品の取り出しを支障なく行うことができる。
【００２２】
また、本発明によれば、陳列室カバーは、各切れ目の延在方向における両端は連続し、切れ目の無い連続部とされていることから、従来の暖簾と異なり、陳列室カバーの端部が冷気流や店舗内空調の空気流になびいてしまう不都合を効果的に抑制することができる。そのため、陳列室内の冷気漏洩の抑制及び外気の陳列室内への侵入を効果的に実現することができる。
【００２３】
また、陳列室の対向する開口縁にそれぞれ設けられた一つの冷気吐出口及び一つの冷気吸込口を備え、冷気吐出口より冷気を吐出し、冷気吸込口より吸い込むことにより、陳列室の開口に冷気エアーカーテンを形成すると共に、陳列室カバーの各連続部を冷気吐出口及び冷気吸込口側に配置し、該冷気吐出口より陳列室カバーの少なくとも陳列室内側に冷気を吐出することにより、切れ目の延在方向を冷気エアーカーテンの延在方向と合わせることができる。そのため、切れ目の延在方向と、冷気エアーカーテンの延在方向とが交差した場合には、切れ目が冷気流によって開きやすくなり、それによって、冷気エアーカーテンの乱れや、切れ目開放による冷気漏洩、外気侵入が生じやすくなるが、これらを同一方向とすることで、冷気エアーカーテンの整流効果を高めることができ、外気侵入、冷気漏洩を著しく抑制することができる。  
【００２４】
また、冷気吐出口より、陳列室カバーの陳列室内側と陳列室外側にそれぞれ冷気を吐出することにより、陳列室カバーの陳列室内側と陳列室外側とにそれぞれ冷気エアーカーテンを形成することができる。 これにより、陳列室カバーの陳列室内側と陳列室外側との温度差による結露の発生を効果的に解消することができる。そのため、陳列室カバーが濡れてしまうことを回避することができ、顧客等の服や商品が汚れてしまう不都合を解消することができる。
【００２５】
また、陳列室カバーの下端を冷気吸込口の上方に配置したことにより、陳列室カバーに付着した結露水は当該カバーを伝ってその下端より冷気吸込口に案内することができる。これにより、ショーケース周辺に結露水が漏出してしまう不都合を解消することができ、冷気吸込口を介して断熱壁内に導くことで、円滑に結露水を処理することができる。
【００２６】
請求項２の発明によれば、上記発明に加えて、陳列室は前面が開口しており、陳列室カバーは、切れ目が陳列室の前面開口において上下方向に延在するかたちで設けられていることにより、上下方向の寸法が大きい商品、例えば、ペットボトル入りの飲料などを切れ目を介して取り出しやすくなる。
【００２７】
請求項３の発明によれば、上記請求項１の発明に加えて、陳列室は前面が開口しており、陳列室カバーは、切れ目が陳列室の開口において左右方向に延在するかたちで設けられていることにより、上下方向よりも左右寸法が大きい商品、例えば、皿状の容器に入った総菜などを平らな状態を維持したまま切れ目を介して取り出しやすくなる。
【００２８】
請求項４の発明によれば、各発明に加えて、陳列室カバーには、複数の空気連通用孔が形成されていることにより、陳列室カバーの内外とで空気連通用孔を介して空気の流出入を許容することができる。これにより、陳列室カバーの陳列室側と外側との温度差による結露の発生を抑制することができる。そのため、陳列室カバーが濡れてしまうことを抑制することができ、顧客等の服や商品が汚れてしまう不都合を抑制することができる。
【００２９】
請求項５の発明によれば、上記発明に加えて、冷気吐出口に取り付けられた冷気整流用のハニカム材と、該ハニカム材を冷気吐出口に取り付けるためのハニカム取付部材とを備え、陳列室カバーの上端をハニカム取付部材に着脱自在に取り付け、ハニカム材の下側に配置したことにより、別途、陳列室カバーの上端を取り付けるための取付具を設けることなく、冷気整流用のハニカム材を冷気吐出口に取り付けるためのハニカム取付部材を用いて陳列室カバーの上端を取り付けることが可能となる。これにより、部品点数の削減を図ることができる。
【００３０】
請求項６の発明によれば、上記各発明に加えて、陳列室は前面が開口しており、陳列室カバーの上端が陳列室の開口上縁に略全幅に渡って固定されていると共に、陳列室カバーの下端は、その一部が陳列室の開口下縁に固定されていることにより、陳列室下部の商品を一度に多数取り出す場合や、商品の陳列作業時には、陳列室カバーの下端を側部から捲ることで、陳列室下部を部分的に大きく開放させることができ、商品を取り出しやすくなる。
【００３１】
請求項７の発明によれば、上記請求項１乃至請求項５の発明に加えて、陳列室カバーは、両端の連続部が略全幅に渡って陳列室の開口縁に固定されていることにより、冷気流や外乱に陳列室カバーがなびいてしまう不都合を解消することができる。これによっても、陳列室内への外気侵入及び陳列室からの冷気漏洩を効果的に抑制することができる。
【００３２】
請求項８の発明によれば、上記各発明に加えて、陳列室カバーは、陳列室の開口縁に着脱自在に固定されていることにより、当該陳列室カバーを任意に着脱することができ、使用状況に容易に対応することができる。
【００３３】
請求項９の発明によれば、上記各発明に加えて、陳列室は前面が開口しており、陳列室カバーの上端が陳列室の開口上縁に固定され、陳列室カバーの下端は、陳列室の開口下縁に着脱自在に固定されると共に、断熱壁又は陳列室カバーには、当該陳列室カバーの下端を上方に捲り上げた状態で当該下端を着脱自在に保持する保持部を設けたことにより、陳列室下部の商品を一度に多数取り出す場合や、商品の陳列作業時に、陳列室カバーの下端を上方に捲り上げ、保持部に保持させることにより、陳列室を下部から上方に渡って大きく開放させることができ、作業性が著しく向上する。
【００３４】
請求項１０の発明によれば、上記各発明に加えて、陳列室の開口に陳列室カバーを複数並設したことにより、陳列室カバーの生産性や利便性を向上させることができる。また、部分的に陳列室カバーを陳列室の開口に設けることも可能となり、使用態様のバリエーションを増大させることができる。
【図面の簡単な説明】
【００３５】
【図１】本発明を適用した実施例のオープンショーケースの正面図である。
【図２】図１のオープンショーケースの縦断側面図である。
【図３】図１のオープンショーケース冷気吐出口付近の拡大断面図である。
【図４】図１のオープンショーケースの冷気吸込口付近の拡大断面図である。
【図５】陳列室カバーの概略構成図である。
【図６】陳列室カバーを捲り上げて保持した状態を示すオープンショーケースの縦断側面図である。
【図７】他の実施例としての陳列室カバーを取り付けたオープンショーケースの正面図である。
【図８】他の実施例としての陳列室カバーを取り付けたオープンショーケースの正面図である。
【発明を実施するための形態】
【００３６】
以下、本発明の実施形態について図面に基づき詳述する。図１はオープンショーケース１の正面図、図２は図１のオープンショーケース１の縦断側面図を示している。本実施例におけるオープンショーケース１は、例えば、スーパーマーケット等において、冷蔵食品、冷凍食品、加温食品等を冷却しながら陳列販売するために用いられるものであり、前方に開放した断面略コ字状の断熱壁２と、この断熱壁２の両側に取り付けられた側板３、３により本体４が構成されている。
【００３７】
この断熱壁２の内側には、仕切板６が取り付けられ、この仕切板６と断熱壁２間にダクト７が構成されると共に、この仕切板６の内側に前面に開口した陳列室８が構成されている。この陳列室８内の後両側部には、それぞれ上下に渡って棚支柱１０、１０が設けられており、該棚支柱１０、１０には複数段の棚９・・・が架設されている。陳列室８の底部にはデックパン１１が取り付けられ、このデックパン１１の下方は前記ダクト７に連通した底部ダクト１５とされている。そして、この底部ダクト１５内には冷気循環用送風機１６を内蔵したファンケース１７が設置されると共に、ダクト７内には、冷凍装置の冷媒回路に含まれる冷却器１８が縦設されている。
【００３８】
断熱壁２と両側板３、３にて囲繞された陳列室８の前面開口５上縁には、冷気整流用のハニカム材２０が取り付けられた冷気吐出口１３が設けられ、ダクト７に連通している。また、係る冷気吐出口１３が形成される前面開口５の上縁と対向する開口５下縁には、冷気吸込口１４が設けられ、底部ダクト１５に連通している。
【００３９】
本実施例において、陳列室８の前面開口５上縁には、下向きに開口した冷気吐出口１３が形成され、当該冷気吐出口１３の全幅方向に延在するハニカム材２０が、当該冷気吐出口１３内縁に複数のハニカム取付部材２１によって着脱自在に保持される。この際、ハニカム取付部材２１は、ワイヤーを折曲することにより、上面係合部２１Ａ、冷気吐出口係合部２１Ｂ、下面保持部２１Ｃが一体に形成されている。下面保持部２１Ｃは、所定寸法前面開口５の幅方向（左右方向）に延在すると共に、本発明に係る陳列室カバー３０の取付を考慮して、冷気吐出口１３の前縁と係合する冷気吐出口係合部２１Ｂから所定寸法後方に延在して形成されている。
【００４０】
また、陳列室８の前面開口５下縁には、デックパン１１の前縁と断熱壁２との間に上向きに開口した隙間が形成されており、当該隙間を閉塞する冷気吸込部材２３が当該開口５の略全幅に渡って設けられている。この冷気吸込部材２３には、底部ダクト１５内と連通する冷気吸込口１４が当該開口５の略全幅に渡って複数、形成されている。
【００４１】
そして、前記ファンケース１７内の冷気循環用送風機１６が運転されると、底部ダクト１５内の空気は後方のダクト７内に向けて吹き出され、冷却器１８と熱交換した後、吹き上げられ、前面開口５上縁の冷気吐出口１３からハニカム材を介して整流された冷気が、下縁の冷気吸込口１４に向けて吹き出される。これによって、陳列室８の前面開口５には冷気エアーカーテンが形成され、開口５からの外気の侵入が抑制されると共に、冷気エアーカーテンの一部が陳列室８内に循環して当該陳列室８内は冷却される。そして、係る冷気は冷気吸込口１４から底部ダクト１５に帰還し、冷気循環用送風機１６に再び吸い込まれることになる。
【００４２】
次に、上記図１及び図２に加えて図３乃至図６を参照して陳列室カバー３０について詳述する。図３はオープンショーケース１の冷気吐出口１３付近の拡大断面図、図４はオープンショーケース１の冷気吸込口１４付近の拡大断面図、図５は陳列室カバー３０の概略構成図、図６は陳列室カバー３０を捲り上げて保持した状態を示すオープンショーケース１の縦断側面図をそれぞれ示している。
【００４３】
陳列室８の前面開口５を塞ぐかたちで設けられた陳列室カバー３０は、陳列室８内を透視可能な可撓性シート、例えば、塩化ビニル等の軟質合成樹脂製のシートにて構成されている。尚、図１では当該陳列室カバー３０を透過した状態を示しているため、陳列室８内に設けられる棚９及び支柱１０、１０が表れている。
【００４４】
本実施例では、陳列室８の前面開口５は、断熱壁２の上壁下端と下壁上端及び両側板３、３によって矩形状に区画形成されたものであるため、当該陳列室カバー３０は、係る前面開口５を略全域にわたって閉塞すべく、両端が陳列室８を構成する両側板３、３の内面に渡る幅寸法とされていると共に、上下寸法は、冷気吐出口１３から冷気吸込口１４に渡る寸法とされる矩形状を呈している。
【００４５】
そして、この陳列室カバー３０は、全面にわたって複数の空気連通用孔３１が形成されている（図５）。この空気連通用孔３１は、陳列室カバー３０の内外の空気の連通を可能とすることを目的とするものであり、少なくとも手指や陳列室８内の商品の通過を許容するものではない。
【００４６】
また、この陳列室カバー３０には、商品取出用の切れ目３２・・が複数、略同一方向に延在して形成されている。本実施例では、図１に示すように当該切れ目３２は陳列室８の前面開口５において上下方向に延在するかたちで形成されている。この際、各切れ目３２の間隔は、陳列室８内に陳列される商品、例えば、ペットボトル入り飲料の正面から見た幅寸法、若しくはこれと近似した所定範囲の寸法であることが望ましい。これにより、棚９の前面に沿って陳列される商品を、近傍の切れ目３２より出し入れしやすい構成とされる。
【００４７】
この切れ目３２は、陳列室カバー３０を裁断（切断）することにより形成されるものであり、常には切れ目３２の裁断面同士が接触することで、該切れ目３２は閉じた状態とされる。
【００４８】
そして、各切れ目３２の延在方向における両端、本実施例では、陳列室カバー３０の上端及び下端は、連続し、切れ目の無い連続部３３、３４とされている。この上端の連続部３３は、陳列室８の前面開口５上縁に形成された冷気吐出口１３側に配置され、この下端の連続部３４は、陳列室８の前面開口５下縁に形成された冷気吸込口１４側に配置される。
【００４９】
陳列室カバー３０の上端の連続部３３には、その上縁に吊下部材（取付部材）３５が長手方向に複数、設けられている。図５に示すように、吊下部材３５は、陳列室カバー３０の上縁から上方に所定寸法延在して形成されるベルト部３５Ａと、このベルト部３５Ａの上端に設けられる係合部３５Ｂと、ベルト部３５Ａの下端に設けられ、係合部３５Ｂと係脱自在に係合される被係合部３５Ｃとから構成される。
【００５０】
本実施例では、上述したように、冷気吐出口１３にはハニカム材２０が複数のハニカム取付部材２１によって着脱自在に保持されている。このハニカム取付部材２１は、下面保持部２１Ｃが、所定寸法前面開口５の幅方向（左右方向）に延在すると共に、冷気吐出口１３の前縁と係合する冷気吐出口係合部２１Ｂから所定寸法後方に、延在して形成されることにより、冷気吐出口１３から吐出される冷気を陳列室カバー３０の陳列室８内側と外側の両側に吐出可能とされる。本実施例では、一例として、冷気吐出口１３を陳列室８内側を略８割、陳列室８外側を略２割とする位置となるように形成されている。
【００５１】
そのため、図３に示すように、上端の連続部３３に形成された吊下部材３５のベルト部３５Ａを下面保持部２１Ｃを構成するワイヤーに掛け、その端部に形成された係合部３５Ｂをベルト部３５Ａ下端に形成された被係合部３５Ｃに着脱自在に係合させることで、陳列室カバー３０の上端を陳列室８の前面開口５上縁、特に、本実施例では、ハニカム材の下側において冷気吐出口１３の前縁よりも所定寸法後方に位置する冷気吐出口１３に固定することができる。
【００５２】
尚、本実施例では、吊下部材３５は、連続部３３の長手方向に渡って複数、図５では、両端部と、略中央に形成されているため、陳列室カバー３０の上端が陳列室８の開口５上縁に略全幅に渡って固定することができる。
【００５３】
一方、陳列室カバー３０の下端の連続部３４には、前面に係合部材３８が設けられている。他方、陳列室８の前面開口５下縁に形成された冷気吸込口１４の前縁には、図４に示すように前面開口５の略全幅に渡ってプライスレール３６が設けられている。前面開口５の下縁に沿って設けられるこのプライスレール３６は、陳列室８内に陳列された商品の品名や価格等を記載した紙又は樹脂シートからなる図示しない表示カードを着脱自在に保持する。
【００５４】
本実施例では、当該プライスレール３６の一部、この場合、前面開口５下縁の略中央部に、陳列室カバー３０の下端を保持する保持部（保持片）３７が設けられる。この保持部３７は、冷気吸込口１４の上方まで延在して設けられていると共に、当該保持部３７には、上記陳列室カバー３０の連続部３４に設けられた係合部材３８（例えば、一方の面ファスナー。）と着脱自在に係合する被係合部材（他方の面ファスナー）３９が設けられている。
【００５５】
そのため、図４に示すように、下端の連続部３４に設けられた係合部材３８を前面開口５下縁に設けられた保持部３７の被係合部材３９と着脱自在に係合させることで、陳列室カバー３０の下端の一部を、この場合、中央部を陳列室８の前面開口５下縁に固定することができる。この際、連続部３４の下端は、冷気吸込口１４の上方に位置する。
【００５６】
また、本実施例では、陳列室カバー３０の前面には、図６に示すように、陳列室カバー３０の下端を上方に捲り上げた状態で当該下端（下端の連続部３４）を着脱自在に保持する保持部４０が設けられている。この保持部４０は、下端の連続部３４に設けられた係合部材３８よりも高い位置（上方）に設けられて、陳列室カバー３０の下端を着脱自在に保持可能とするものであればよく、本実施例では、下端の連続部３４を前面開口５下端に着脱自在に固定する係合部材３８と着脱自在に係合されるもの（一例として他方の面ファスナー）により構成する。尚、本実施例では、当該保持部４０は、陳列室カバー３０の上端の連続部３３の前面に設けられている。
【００５７】
尚、本実施例では面ファスナーによって係合部材３８及び被係合部材３９若しくは保持部４０を構成しているがこれに限定されるものではなく、着脱自在に固定することができるものであればよく、例えばマグネットや紐などであっても良い。
【００５８】
以上の構成により、陳列室８の前面開口５を塞ぐかたちで、陳列室８内を透視可能とする可撓性シートにて構成された陳列室カバー３０が設けられ、この陳列室カバー３０には、複数の商品取出用の切れ目３２が形成されているので、切れ目３２から手を挿入することで、陳列室８内に陳列された商品を容易に取り出すことができる。
【００５９】
この陳列室カバー３０の切れ目３２は、常には裁断面同士が接触することで、該切れ目３２は閉じた状態とされるため、常には、陳列室カバー３０にて開口を塞いだ状態とすることができる。これにより、陳列室８内を透視可能な陳列室カバー３０を介した商品陳列及び冷気漏洩の著しい抑制を実現しつつ、切れ目３２より商品の取り出しを支障なく行うことができる。
【００６０】
特に、陳列室カバー３０は、各切れ目３２の延在方向における両端、この場合、上下方向に延在する切れ目３２の両端に相当する陳列室カバー３０の上端及び下端は連続し、切れ目３２の無い連続部３３、３４とされているため、従来の暖簾と異なり、陳列室カバー３０の端部が冷気流や店舗内空調の空気流になびいてしまう不都合を効果的に抑制することができる。
【００６１】
係る上端の連続部３３は、陳列室８の開口５上縁に配置されて固定されると共に、下端の連続部３４は、開口５下縁に配置されて固定されることにより、効果的に陳列室８内の冷気漏洩の抑制及び外気の陳列室８内への侵入を実現することができる。
【００６２】
この際、陳列室８の対向する開口縁、即ち、上縁と下縁に冷気吐出口１３及び冷気吸込口１４を設けて、陳列室カバー３０の少なくとも陳列室８内側において、開口５上縁から下縁に向けて冷気を吐出することで冷気エアーカーテンが形成される。これに対し、陳列室カバー３０の各連続部３３、３４が冷気吐出口１３側及び冷気吸込口１４側に配置される。これにより、機械室カバー３０に形成された切れ目３２の延在方向（前面開口５の上下方向）を冷気エアーカーテンの延在方向と合わせることができる。そのため、切れ目３２の延在方向と、冷気エアーカーテンの延在方向とが交差した場合には、切れ目が冷気流によって開きやすくなり、それによって、冷気エアーカーテンの乱れや、切れ目開放による冷気漏洩、外気侵入が生じやすくなるが、これらを同一方向とすることで、冷気エアーカーテンの整流効果を高めることができ、外気侵入、冷気漏洩を著しく抑制することができる。
【００６３】
また、本実施例では、陳列室カバー３０の上端が、冷気吐出口１３の前縁と係合する冷気吐出口係合部２１Ｂから所定寸法後方に、一例として、冷気吐出口１３を陳列室８内側を略８割、陳列室８外側を略２割とする位置となるように設けられた下面保持部２１Ｃに固定されることにより、冷気吐出口１３から吐出された冷気は、当該陳列室カバー３０の陳列室８内側と陳列室８外側にそれぞれに吐出されることとなる。
【００６４】
これにより、陳列室カバー３０の陳列室８内側と陳列室８外側とにそれぞれ冷気エアーカーテンを形成することができ、係る陳列室カバー３０の陳列室８内側と陳列室８外側との温度差による結露の発生を効果的に解消することができる。そのため、陳列室カバー３０が濡れてしまうことを回避することができ、顧客等の服や商品が汚れてしまう不都合を解消することができる。
【００６５】
尚、本実施例では、上述したように陳列室カバー３０には、複数の空気連通用孔３１が形成されているため、陳列室カバー３０の内外とで空気連通用孔３１を介して空気の流出入を許容することができる。これによっても、陳列室カバー３０の陳列室８側と外側との温度差による結露の発生を抑制することができる。そのため、陳列室カバー３０が濡れてしまうことを抑制若しくは、回避することができ、顧客等の服や商品が汚れてしまう不都合を抑制若しくは回避することができる。
【００６６】
特に、本実施例では、陳列室カバー３０の上端は、冷気整流用のハニカム材２０を冷気吐出口１３に取り付けるためのハニカム取付部材２１の下面保持部２１Ｃに着脱自在に取り付けられているため、別途、陳列室カバー３０の上端を取り付けるための取付具を設けることなく、ハニカム取付部材２１を用いて陳列室カバー３０の上端をハニカム材２１の下側において冷気吐出口１３に取り付けることが可能となる。これにより、部品点数の削減を図ることができる。
【００６７】
尚、本実施例では、ハニカム取付部材２１の下面保持部２１Ｃは、これに着脱自在に係合される陳列室カバー３０をハニカム材２１の下側に位置させるため、冷気吐出口１３の前縁よりも所定寸法後方に配置しているが、例えば、機械室カバー３０の前面に結露が生じにくい設置環境である場合などでは、これに限られるものではない。即ち、既存のショーケースにおいてハニカム材２１を固定するために用いられるハニカム取付部材２１は、下面保持部２１Ｃが、冷気吐出口１３に取り付けられるハニカム材２１の前端部の下面を保持する構成とされている。当該下面保持部２１Ｃに陳列室カバー３０の上端を着脱自在に取り付けた場合、冷気吐出口１３から吐出される冷気の多くは、陳列室カバー３０の陳列室内側に沿って吐出されることとなる。この場合であっても、設置環境の湿度や温度により機械室カバー３０の前面に結露が生じにくい場合には、結露水の問題が生じないこととなる。そのため、格別に下面保持部２１Ｃを冷気吐出口の前縁よりも所定寸法後方に配置したハニカム取付部材２１を用いることなく、機械室カバー３０を設けることによる効果を奏することができる。
【００６８】
また、本実施例では、陳列室カバー３０の下端が、前面開口下縁に設けられ、冷気吸込口１４の上方まで延在する保持部３７に着脱自在に取り付けられることにより、陳列室カバー３０の下端を冷気吸込口１４の上方に配置することができる。これにより、陳列室カバー３０に付着してしまった結露水は、当該カバーを伝ってその下端より冷気吸込口１４に案内される。そのため、ショーケース周辺に結露水が漏出してしまう不都合を解消することができ、結露水は冷気吸込口１４を介して断熱壁２内に導かれることで、冷却器１８からのドレン水と共に円滑に処理することができる。
【００６９】
また、本実施例では、上述したように、陳列室カバー３０に形成される切れ目３２は、陳列室８の前面開口５において上下方向に延在するかたちで形成されているため、陳列室８内に上下方向の寸法が大きい商品、例えば、ペットボトル入りの飲料などが陳列された場合であっても、上下方向に延在する切れ目３２を介して取り出しやすくなる。
【００７０】
更に、本実施例では、陳列室カバー３０は、上端が陳列室８の開口５上縁に略全幅に渡って固定されていると共に、陳列室カバー３０の下端は、その一部、例えば中央部が陳列室８の開口下縁に係合部材３８と被係合部材３９との係合によって固定されているため、陳列室８下部、例えば、デックパン１１上に陳列された商品を一度に多数取り出す場合や、商品の陳列作業時には、陳列室カバー３０の下端を側部から捲ることで、陳列室８下部を部分的に大きく開放させることができ、商品を取り出しやすくなる。
【００７１】
尚、本実施例では、上述したように、陳列室カバー３０の下端の一部を開口５下縁に固定するものとしているが、これに限定されるものではなく、陳列室カバー３０の両端の連続部３３、３４を略全幅に渡って陳列室８の開口５縁に固定しても良い。一例として、図７に示すように、陳列室カバー３０の下端の連続部３４の前面に係合部材３８を複数設けると共に、陳列室８の前面開口５下縁に被係合部材３９を備えた保持部３７を複数、例えば、両端部と略中央部に設けることで、陳列室カバー３０の下端の連続部３４を略全幅に渡って陳列室８の開口５下縁に固定するものとしてもよい。
【００７２】
この場合、機械室カバー３０の下端が、冷気流や外乱になびいてしまう不都合を解消することができる。そのため、陳列室８内への外気侵入及び陳列室からの冷気漏洩を効果的に抑制することができる。
【００７３】
そして、上記実施例において、陳列室８下部の商品を一度に多数取り出す場合や、商品の陳列作業を行い場合には、下端の連続部３４が開口５下縁に固定されたまま行う以外に、当該下端の連続部３４と開口５下縁との固定を解除して、即ち、係合部材３８と被係合部材３９との係合を解除させて、当該機械室カバー３０の下端を上方に捲り上げて、連続部３４の係合部材３８を、該係合部材３８よりも上方に設けられた保持部４０と係合させて保持することにより、陳列室８を下部から上方に渡って大きく開放させることができ、作業性が著しく向上する。これにより、陳列室カバー３０を取り付けた状態のままであっても、陳列作業性の向上を図ることができる。
【００７４】
尚、上記実施例では、陳列室カバー３０に形成される切れ目３２を陳列室８の前面開口５において上下方向に延在するかたちで形成しているが、これに限定されるものではなく、例えば図８に示すように、棚９やデックパン１１の上方に対応する位置に、陳列室８の開口５において左右方向に延在するかたちで複数の切れ目４２を形成しても良い。この場合においても、切れ目４２の延在方向における両端、即ち、陳列室カバー３０の両側端は、連続し、切れ目の無い連続部４３、４４とされているものとする。
【００７５】
これにより、上下方向よりも左右寸法が大きい商品、例えば、皿状の容器に入った総菜などを平らな状態を維持したまま切れ目４２を介して取り出しやすくなる。
【００７６】
また、上記実施例において陳列室カバー３０は、その上端が吊下部材３５を冷気吐出口１３（前面開口５上縁）に設けられたハニカム材取付部材２１に着脱自在に固定され、その下端が係合部材３８を冷気吸込口１４（前面開口５下縁）の保持部３７に着脱自在に係合されることによって設けられていることから、任意に取り外して使用することも可能となる。これにより、ショーケース１の使用状況に容易に対応することができる。
【００７７】
尚、本実施例では、陳列室８の前面開口５を単一の陳列室カバー３０にて塞ぐかたちで設けられているが、これに限定されるものではなく、陳列室８の開口５に陳列室カバー３０を複数並設しても良い。これにより、大型のショーケース１の前面開口５を単一の陳列室カバー３０にて塞ぐ構成とする場合に比して、陳列室カバー３０の生産性や利便性を向上させることができる。また、部分的に陳列室カバー３０を陳列室８の開口５に設けることも可能となり、使用態様のバリエーションを増大させることができる。
【００７８】
また、本実施例では、前面が開口する陳列室を構成するオープンショーケースについて詳述しているが、これに限定されるものではなく、断熱壁の上方に構成された陳列室の複数面（例えば、前後面や側面）が開口して成るオープンショーケースの各開口を複数の陳列室カバーにて塞ぐ場合や、断熱壁内に上面が開口する陳列室を備えたショーケースの上面開口を陳列室カバーにて塞ぐ場合においても、本願発明は有効である。
【符号の説明】
【００７９】
１    オープンショーケース
２    断熱壁
３    側板
４    本体
５    前面開口
６    仕切板
７    ダクト
８    陳列室
９    棚
１０  棚支柱
１１  デックパン
１３    冷気吐出口
１４    冷気吸込口
１５    底部ダクト
１６    冷気循環用送風機
１７    ファンケース
１８    冷却器
２０    ハニカム材
２１    ハニカム取付部材
２３    冷気吸込部材
３０    陳列室カバー
３１    空気連通用孔
３２、４２  商品取出用の切れ目
３３、３４、４３、４４  連続部
３５    吊下部材（取付部材）
３５Ａ  ベルト部
３５Ｂ  係合部
３５Ｃ  被係合部
３６    プライスレール
３７    保持部
３８    係合部材（面ファスナー）
３９    被係合部材（面ファスナー）
４０    保持部（面ファスナー）
【図１】
0005874012.tif 000002
【図２】
0005874012.tif 000003
【図３】
0005874012.tif 000004
【図４】
0005874012.tif 000005
【図５】
0005874012.tif 000006
【図６】
0005874012.tif 000007
【図７】
0005874012.tif 000008
【図８】
0005874012.tif 000009